(57)【要約】【課題】更なる改善を実現することができる電源システムを提供する。【解決手段】太陽光発電を行う太陽電池１１０と、太陽電池１１０で発生した電力を蓄電する蓄電池１２０と、蓄電池１２０を内包し、外面に太陽電池１１０を設けた筐体１４０と、筐体１４０に外部機器２００を固定する第１固定部１４２と、筐体１４０の上面に設けられ、蓄電池１２０から外部機器２００に電力を供給する出力部１５０と、筐体１４０の側面の少なくとも一部を構成する開閉自在な蓋部１４３と、を備え、筐体１４０に固定された蓋部１４３により第１固定部１４２が筐体１４０に内封される。【選択図】図２
2018174706.tif 000002
【特許請求の範囲】
【請求項１】
太陽光発電を行う太陽電池と、
前記太陽電池で発生した電力を蓄電する蓄電池と、
前記蓄電池を内包し、外面に前記太陽電池が設けられた筐体と、
前記筐体に外部機器を固定する第１固定部と、
前記筐体の上面に設けられ、前記蓄電池から前記外部機器に電力を供給する出力部と、
前記筐体の側面の少なくとも一部を構成する開閉自在な蓋部と、を備え、
前記筐体に固定された前記蓋部により前記第１固定部が前記筐体に内封される、
電源システム。
【請求項２】
前記第１固定部の鉛直方向において存在する領域は、前記蓋部が鉛直方向に占める範囲内にある、
請求項１に記載の電源システム。
【請求項３】
前記筐体は、
前記蓄電池を内包し、外面に前記太陽電池が設けられた本体部と、
前記本体部の上部の開口部を覆い、かつ、前記本体部から着脱可能であり、かつ、前記第１固定部と前記出力部と前記蓋部とが設けられた接続部と、
前記蓋部を施解錠する鍵部と、を備え、
前記蓋部は、前記鍵部が施錠されることで前記筐体に固定される、
請求項１または請求項２に記載の電源システム。
【請求項４】
前記接続部には、さらに、前記本体部が接続される第２固定部が設けられる、
請求項３に記載の電源システム。
【請求項５】
前記第２固定部の鉛直方向において存在する領域は、前記蓋部の鉛直方向に占める範囲内にある、
請求項４に記載の電源システム。
【請求項６】
前記鍵部は、鍵が差し込まれて回転されることにより施解錠されるシリンダー錠である、
請求項３〜５のいずれか１項に記載の電源システム。
【請求項７】
前記鍵部は、近距離無線通信部が受信した信号に応じて施解錠する電子錠である、
請求項３〜５のいずれか１項に記載の電源システム。
【請求項８】
前記出力部は、
前記外部機器と接する出力接点部を備え、
前記出力接点部を介して前記蓄電池から前記外部機器に電力を供給する、
請求項１〜７のいずれか１項に記載の電源システム。
【請求項９】
前記出力部は、前記出力接点部の側面に出力端子を備える、
請求項８に記載の電源システム。
【請求項１０】
前記出力部は給電コイルを備え、
前記給電コイルを介して非接触で前記蓄電池から前記外部機器に電力を供給する、
請求項１〜７のいずれか１項に記載の電源システム。
【請求項１１】
前記蓄電池は、前記筐体の開口部を介して前記筐体と着脱可能である、
請求項１〜１０のいずれか１項に記載の電源システム。
【請求項１２】
前記筐体内に設けられ、外部と通信する通信部を備える、
請求項１〜１１のいずれか１項に記載の電源システム。
【請求項１３】
前記通信部は、外部の通信端末と近距離無線通信により通信する、
請求項１２に記載の電源システム。
【請求項１４】
前記筐体内に設けられ、外部情報を検知する検知部を備える、
請求項１〜１３のいずれか１項に記載の電源システム。
【請求項１５】
前記検知部は人感センサーを備え、所定の範囲内への人の接近を検知する、
請求項１４に記載の電源システム。
【請求項１６】
前記筐体に設けられ、前記蓄電池から外部の端末に電力を供給するＵＳＢ接続端子を備える、
請求項１〜１５のいずれか１項に記載の電源システム。
【請求項１７】
前記筐体に、非接触で前記蓄電池から外部の端末に電力を供給する給電コイルを備える、
請求項１〜１６のいずれか１項に記載の電源システム。
【発明の詳細な説明】
【技術分野】
【０００１】
本開示は、太陽光発電にて発電した電力を蓄電し、蓄電した電力を接続された外部機器に供給することが可能な電源システムに関する。
【背景技術】
【０００２】
従来、太陽電池で発電されたエネルギーをリチウムイオン電池に充電し、電気機器に電力の供給を行う電源装置が開示されている（特許文献１参照）。
【先行技術文献】
【特許文献】
【０００３】
【特許文献１】特開２０１３−２４０１５６号公報
【発明の概要】
【発明が解決しようとする課題】
【０００４】
しかしながら、上記特許文献では、更なる改善が必要とされていた。
【課題を解決するための手段】
【０００５】
本開示の一態様に係る電源装置は、太陽光発電を行う太陽電池と、前記太陽電池で発生した電力を蓄電する蓄電池と、前記蓄電池を内包し、外面に前記太陽電池が設けられた筐体と、前記筐体に外部機器を固定する第１固定部と、前記筐体の上面に設けられ、前記蓄電池から前記外部機器に電力を供給する出力部と、前記筐体の側面の少なくとも一部を構成する開閉自在な蓋部と、を備え、前記筐体に固定された前記蓋部により前記第１固定部が前記筐体に内封される。
【発明の効果】
【０００６】
上記態様によれば、更なる改善を実現することができる。
【図面の簡単な説明】
【０００７】
【図１】実施の形態に係る電源システムおよび外部機器の外観の一例を示す斜視図である。
【図２】実施の形態に係る電源システムを各構成要素に分解した分解斜視図である。
【図３】実施の形態に係る外部機器が接続される前の状態における電源システムの接続部について説明するための図である。
【図４】実施の形態に係る外部機器が接続された後の状態における電源システムの接続部について説明するための図である。
【図５】実施の形態に係る電源システムに含まれる電気回路の一例を示すブロック図である。
【図６Ａ】他の実施の形態に係る正面側から見たときの電源システムおよび外部機器の外観の一例を示す図である。
【図６Ｂ】他の実施の形態に係る後面側から見たときの電源システムおよび外部機器の外観の一例を示す図である。
【図７】他の実施の形態に係る外部機器の概略構成の一例を示すブロック図である。
【図８】他の実施の形態に係る電源システムおよび外部機器の外観の他の一例を示す図である。
【図９】他の実施の形態に係る外部機器の概略構成の他の一例を示すブロック図である。
【発明を実施するための形態】
【０００８】
（本発明の基礎となった知見）
本発明者は、「背景技術」の欄において記載した、電源システムに関し、以下の問題が生じることを見出した。
【０００９】
特許文献１のような、太陽電池で発電された電池を蓄電池に充電することにより、太陽電池で発電された電力を有効に利用することは、電力線を新たに敷設する必要がないため有用である。
【００１０】
しかしながら、特許文献１では、電源装置からの電力の供給を受ける電気機器（外部機器）としてのカメラが、電源装置の所定の位置に固定されており、他の外部機器に交換されることは想定されていない。つまり、特許文献１のような従来技術では、特定の外部機器のみに電力が供給され、他の外部機器に対して電力を供給することは想定されておらず、電力を使用する自由度が低いという課題がある。また、一方で、この課題を解決するために、他の外部機器でも電源システムに対する電気的な接続が容易な構成にした場合、外部機器の接続の解除も容易になりうるため、外部機器が容易に盗難されるおそれがある。
【００１１】
つまり、本開示では、複数種類の外部機器に電力を供給することが可能な電源システムであって、当該複数種類の外部機器が盗難されることを抑制できる電源システムについて開示する。
【００１２】
以上の検討を踏まえ、本発明者は、上記課題を解決するために、下記の改善策を検討した。
【００１３】
本開示の一態様に係る電源システムは、太陽光発電を行う太陽電池と、前記太陽電池で発生した電力を蓄電する蓄電池と、前記蓄電池を内包し、外面に前記太陽電池が設けられた筐体と、前記筐体に外部機器を固定する第１固定部と、前記筐体の上面に設けられ、前記蓄電池から前記外部機器に電力を供給する出力部と、前記筐体の側面の少なくとも一部を構成する開閉自在な蓋部と、を備え、前記筐体に固定された前記蓋部により前記第１固定部が前記筐体に内封される。
【００１４】
これによれば、外部機器が固定される第１固定部が、開閉自在な蓋部により筐体に内封されるため、蓋部が閉じている状態では第１固定部が筐体の外側から視認されることを抑制できる。このため、外部機器の固定が解除されることを抑制することができ、外部機器が盗難されることを抑制できる。
【００１５】
また、例えば、前記第１固定部の鉛直方向において存在する領域は、前記蓋部が鉛直方向に占める範囲内にあってもよい。
【００１６】
これによれば、蓋部を開けて第１固定部に外部機器を固定したり、第１固定部から外部機器を取り外したりする作業のときに、第１固定部を鉛直方向に占める範囲に亘って露出させることができるため、作業性を向上させることができる。
【００１７】
また、例えば、前記筐体は、前記蓄電池を内包し、外面に前記太陽電池が設けられた本体部と、前記本体部の上部の開口部を覆い、かつ、前記本体部から着脱可能であり、かつ、前記第１固定部と前記出力部と前記蓋部とが設けられた接続部と、前記蓋部を施解錠する鍵部と、を備え、前記蓋部は、前記鍵部が施錠されることで前記筐体に固定されてもよい。
【００１８】
このため、鍵部が開錠されることなく、外部機器の固定が解除されることを抑制することができる。
【００１９】
また、例えば、前記接続部には、さらに、前記本体部が接続される第２固定部が設けられてもよい。
【００２０】
このため、接続部を第２固定部において本体部に接続しておくことができる。
【００２１】
また、例えば、前記第２固定部の鉛直方向において存在する領域は、前記蓋部の鉛直方向に占める範囲内にあってもよい。
【００２２】
これによれば、蓋部を開けて第２固定部に本体部を固定したり、第２固定部から本体部を取り外したりする作業のときに、第２固定部を鉛直方向に占める範囲に亘って露出させることができるため、作業性を向上させることができる。
【００２３】
また、例えば、前記鍵部は、鍵が差し込まれて回転されることにより施解錠されるシリンダー錠であってもよい。
【００２４】
このため、ユーザは、鍵を用いて鍵部を施解錠できる。
【００２５】
また、例えば、前記鍵部は、近距離無線通信部が受信した信号に応じて施解錠する電子錠であってもよい。
【００２６】
このため、ユーザは、例えば、スマートフォンなどの近距離無線通信部と通信可能な情報端末を用いて鍵部を施解錠できる。
【００２７】
また、例えば、前記出力部は、前記外部機器と接する出力接点部を備え、前記出力接点部を介して前記蓄電池から前記外部機器に電力を供給してもよい。
【００２８】
このため、電源システムは、出力接点部から蓄電池の電力を外部機器に供給できる。
【００２９】
また、例えば、前記出力部は、前記出力接点部の側面に出力端子を備えてもよい。
【００３０】
例えば、外部機器が筐体の上方から下方に向けて移動させることで、出力接点部に電気的に接続される構成であるときは、出力端子を鉛直方向に沿って配置することができるため、外部機器の移動方向に対して電気的に接続される部分に余裕を設けることができる。これにより、外部機器と出力端子との電気的な接続をより確実にすることができる。
【００３１】
また、例えば、前記出力部は給電コイルを備え、前記給電コイルを介して非接触で前記蓄電池から前記外部機器に電力を供給してもよい。
【００３２】
このため、外部機器を筐体から取り外したとしても、電力が出力される出力部の端子部分が露出されない構成とすることができる。このため、出力部が腐食することを抑制することができる。
【００３３】
また、例えば、前記蓄電池は、前記筐体の開口部を介して前記筐体と着脱可能であってもよい。
【００３４】
このため、蓄電池を、例えば非常用の外部電源として使用することができる。
【００３５】
また、例えば、前記筐体内に設けられ、外部と通信する通信部を備えてもよい。
【００３６】
このため、電源システムは、通信部を用いて、外部と通信できる。
【００３７】
また、例えば、前記通信部は、外部の通信端末と近距離無線通信により通信してもよい。
【００３８】
このため、電源システムは、外部の通信端末と近距離無線通信により通信できる。
【００３９】
また、例えば、前記筐体内に設けられ、外部情報を検知する検知部を備えてもよい。
【００４０】
このため、電源システムは、外部情報を検知できる。
【００４１】
また、例えば、前記検知部は人感センサーを備え、所定の範囲内への人の接近を検知してもよい。
【００４２】
このため、電源システムは、所定の範囲内への人の接近を検知できる。
【００４３】
また、例えば、前記筐体に設けられ、前記蓄電池から外部の端末に電力を供給するＵＳＢ接続端子を備えてもよい。
【００４４】
このため、電源システムは、外部の端末にＵＳＢ接続端子から蓄電池の電力を供給できる。
【００４５】
また、例えば、前記筐体に、非接触で前記蓄電池から外部の端末に電力を供給する給電コイルを備えてもよい。
【００４６】
このため、電源システムは、外部の端末に非接触給電コイルから蓄電池の電力を供給できる。
【００４７】
以下、添付の図面を参照して、本開示の一態様に係る電源システムについて、具体的に説明する。
【００４８】
なお、以下で説明する実施の形態は、いずれも本発明の一具体例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００４９】
（実施の形態）
以下、図１〜図５を用いて、実施の形態を説明する。
【００５０】
［１−１．構成］
図１は、実施の形態に係る電源システムおよび外部機器の外観の一例を示す斜視図である。図２は、実施の形態に係る、蓋部を開放したときの電源システムおよび外部機器の外観を示す斜視図である。図３は、実施の形態に係る外部機器を外したときの電源システムの外観を示す斜視図である。なお、これらの図及び以降の図では、説明の便宜のため、Ｘ軸方向を前後方向とし、Ｚ軸方向を上下方向として示しており、以下ではＸ軸方向を前後方向（つまり、Ｘ軸方向プラス側を前方、Ｘ軸方向マイナス側を後方）として説明している。
【００５１】
電源システム１００の上方には、外部機器２００が固定されている。また、電源システム１００および外部機器２００は、互いに電気的に接続されており、電源システム１００の電力が当該外部機器２００に供給される。図１および図２に示すように、電源システム１００は、太陽電池１１０と、蓄電池１２０と、充放電部１３０と、筐体１４０と、出力部１５０とを備える。
【００５２】
太陽電池１１０は、太陽光発電を行う。太陽電池１１０は、具体的には、複数の太陽電池素子が直列接続及び／または並列接続されることにより構成された、矩形板状の太陽電池モジュールである。本実施の形態では、４枚の太陽電池１１０が、筐体１４０の４面ある側面のそれぞれに設けられる。
【００５３】
蓄電池１２０は、太陽電池１１０で発生した電力を蓄電する。蓄電池１２０は、具体的には、充放電部１３０と電気的に接続され、太陽電池１１０で発電された電力が充放電部１３０により充電される。蓄電池１２０は、筐体１４０の開口部１４６ａ（後述参照）を介して筐体１４０と着脱可能である。具体的には、蓄電池１２０の接続部１２１は、筐体１４０に固定されている充放電部１３０と、電気的および機械的に着脱可能である。
【００５４】
充放電部１３０は、太陽電池１１０で発生した電力を用いて蓄電池１２０を充電する充電部と、蓄電池１２０の電力を出力部１５０に放電する放電部とを備える。充放電部１３０の充電部は、具体的には、太陽電池１１０および蓄電池１２０に電気的に接続され、太陽電池１１０で発電された電力を、蓄電池１２０に充電するための適切な電圧に変換することで、蓄電池１２０を充電する充電回路である。また、充放電部１３０の放電部は、具体的には、蓄電池１２０からの電力を適切な電圧の直流電力に変換することで出力部１５０に放電する放電回路である。蓄電池１２０および充放電部１３０は、着脱自在に、電気的および機械的に接続される。また、充放電部１３０は、筐体１４０の底部に固定されている。
【００５５】
筐体１４０は、蓄電池１２０と充放電部１３０とを内包し、外面に太陽電池１１０が設けられる。具体的には、筐体１４０は、外形が略直方体形状の箱状部材である。また、筐体１４０は、略直方体形状の４面ある外側の側面のそれぞれに、太陽電池１１０が設けられる。筐体１４０は、例えば、金属で構成されていてもよいし、樹脂で構成されていてもよい。
【００５６】
筐体１４０は、矩形筒状で底を備えている本体部１４６と、本体部１４６の開口部１４６ａを覆う接続部１４１とを備えていてもよい。本体部１４６は、蓄電池１２０と、充放電部１３０とを内包し、外面に太陽電池１１０が設けられる。また、本体部１４６は、開口部１４６ａの前面側において、開口部１４６ａから上方に向かって延びる固定板１４７を備える。
【００５７】
接続部１４１は、本体部１４６から着脱可能である。要するに、接続部１４１は、本体部１４６の開口部１４６ａを着脱自在に閉塞する蓋である。
【００５８】
また、筐体１４０は、筐体１４０の側面の少なくとも一部を構成しており、当該側面の少なくとも一部を開閉自在に設けられた蓋部１４３を備える。具体的には、蓋部１４３は、接続部１４１の前側の側面を開閉自在に設けられ、開状態であれば、接続部１４１の前側の側面を露出させ、閉状態であれば、接続部１４１の前側の側面を内封させる。蓋部１４３は、例えば、板状部材であり、当該板状部材のＸ軸方向プラス側の一辺をＺ軸方向に略平行な回転軸として回動するように、接続部１４１のＸ軸方向プラス側の端部に設けられる。ここで、蓋部１４３が回動する回転軸が、固定板２０２が突出する方向に沿うように蓋部１４３が設けられることにより、固定板２０２と蓋部１４３の回転軸とが干渉しない構成になっている。
【００５９】
また、筐体１４０は、鍵部１４４を備えていてもよい。鍵部１４４は、蓋部１４３を施解錠する。鍵部１４４は、蓋部１４３を施錠することにより、蓋部１４３を筐体１４０に固定する。鍵部１４４は、例えば、図示しない鍵が差し込まれて回転されることにより施解錠されるシリンダー錠である。なお、鍵部は、近距離無線通信部が受信した信号に応じて施解錠する電子錠であってもよい。
【００６０】
また、筐体１４０は、本体部１４６の下方に、電源システム１００を地面に固定するための台座１４９が設けられていてもよい。図２に示すように、台座１４９は、例えば、アンカーボルト１４９ａにより地面に固定される。
【００６１】
出力部１５０は、筐体１４０の上面に設けられ、蓄電池１２０から外部機器２００に電力を供給する。具体的には、出力部１５０は、筐体１４０の上面から上方に向かって突出した部位である。
【００６２】
外部機器２００は、電源システム１００の外部に設けられる電気機器であって、電源システム１００から供給された電力で動作する電気機器である。外部機器２００は、例えば、内部にＬＥＤ（Ｌｉｇｈｔ  Ｅｌｅｃｔｒｏ  Ｌｕｍｉｎｅｓｃｅｎｃｅ）を備える照明装置である。また、外部機器２００は、電源システム１００に固定されるための２枚の固定板２０２を備える。２枚の固定板２０２は、外部機器２００の前面側において、外部機器２００の下方に向かって延びており、Ｘ軸方向に沿って並んで配置される。
【００６３】
次に、接続部１４１と、外部機器２００および本体部１４６とが固定される構造について、図３および図４を用いて具体的に説明する。
【００６４】
図３は、本実施の形態に係る電源システムにおいて、接続部と、外部機器および本体部とが分離された状態を示す斜視図である。図４は、本実施の形態に係る電源システムにおいて、接続部と、外部機器および本体部とが固定されている状態における、第１固定部および第２固定部を説明するための図である。
【００６５】
接続部１４１には、第１固定部１４２と出力部１５０とが設けられる。接続部１４１は、具体的には、略直方体形状であり、接続部１４１の下面が本体部１４６の開口部１４６ａを覆い、接続部１４１の前側の側面には、第１固定部１４２が設けられる。また、接続部１４１の前側の側面には、当該前側の側面に設けられた第１固定部を覆うための蓋部１４３が設けられる。
【００６６】
第１固定部１４２は、筐体１４０に外部機器２００を固定する。具体的には、第１固定部１４２は、外部機器２００を、接続部１４１の側面に固定するための締結部材である。第１固定部１４２は、外部機器２００の２枚の固定板２０２を接続部１４１の側面に固定することにより、外部機器２００を接続部１４１に固定する。また、第１固定部１４２は、筐体１４０に固定された蓋部１４３により筐体１４０に内封される。第１固定部１４２は、例えば、図３に示すように、２本のボルト１４２ａと、接続部１４１の内方に設けられ、２本のボルト１４２ａと螺合する２つのナット１４２ｂとにより構成される。ここで、２つのナット１４２ｂは、例えば、接続部１４１の内方に配置されるインサートナットである。
【００６７】
外部機器２００の２枚の固定板２０２は、外部機器２００が接続部１４１の上方に配置された状態で、接続部１４１の前面に沿う位置に設けられる。また、この状態で、２枚の固定板２０２のそれぞれに設けられる貫通孔２０３は、ボルト１４２ａに貫通されるナット１４２ｂの孔に対向する位置に設けられる。よって、ボルト１４２ａがナット１４２ｂに螺合されれば、２枚の固定板２０２は、接続部１４１の前面に固定される。このようにして、外部機器２００は、第１固定部１４２によって、接続部１４１の上方に固定される。
【００６８】
また、接続部１４１は、さらに、本体部１４６が接続される第２固定部１４５を備えていてもよい。具体的には、第２固定部１４５は、筐体１４０の本体部１４６を、接続部１４１の前面に固定するための締結部材である。第２固定部１４５は、本体部１４６の固定板１４７を接続部１４１の前面に固定することにより、本体部１４６を接続部１４１に固定する。また、第２固定部１４５は、筐体１４０に固定された蓋部１４３により筐体１４０に内封される。第２固定部１４５は、例えば、図３に示すように、ボルト１４５ａと、接続部１４１の内方に設けられ、ボルト１４５ａと螺合するナット１４５ｂとにより構成される。ここで、ナット１４５ｂは、例えば、接続部１４１の内方に配置されるインサートナットである。
【００６９】
本体部１４６の固定板１４７は、本体部１４６が接続部１４１の下方に配置された状態で、接続部１４１の前面に沿う位置に設けられる。また、この状態で、固定板１４７に設けられる貫通孔１４８は、ボルト１４５ａに貫通されるナット１４５ｂの孔に対向する位置に設けられる。よって、ボルト１４５ａがナット１４５ｂに螺合されれば、固定板１４７は、接続部１４１の前面に固定される。このようにして、本体部１４６は、第２固定部１４５によって、接続部１４１の下方に固定される。
【００７０】
また、本体部１４６の固定板１４７は、外部機器２００の２枚の固定板２０２の間に設けられる。したがって、第２固定部１４５を構成するボルト１４５ａおよびナット１４５ｂは、第１固定部１４２を構成する２本のボルト１４２ａおよび２つのナット１４２ｂの間に配置される。つまり、第２固定部１４５は、２箇所で固定される第１固定部１４２の間に配置される。これにより、上方向から下方向に向かって延びる２枚の固定板２０２と、下方向から上方向に向かって延びる１枚の固定板１４７とが互いに干渉することなく、図４に示すように、接続部１４１に外部機器２００および本体部１４６を固定することができる。
【００７１】
ここで、第１固定部１４２の鉛直方向において存在する領域は、蓋部１４３が鉛直方向に占める範囲内にある。また、第２固定部１４５の鉛直方向において存在する領域は、蓋部１４３が鉛直方向に占める範囲内にある。つまり、第１固定部１４２および第２固定部１４５は、図４に示すように、蓋部１４３を開状態にしたときに、全てを露出させることができる。
【００７２】
また、接続部１４１の上面には、出力部１５０が設けられる。出力部１５０は、外部機器２００と接する出力接点部１５１を備え、出力接点部１５１を介して蓄電池１２０から外部機器２００に電力を供給する。
【００７３】
出力接点部１５１は、具体的には、筐体１４０の上面から突出している略直方体形状の部位であり、当該出力接点部１５１の側面に出力端子１５２が設けられる。出力端子１５２は、具体的には、上下方向に長い矩形の金属板であり、外部機器２００が筐体１４０の上方に設けられた状態で、外部機器２００に設けられた接続端子（図示せず）と接触することで、外部機器２００と電気的に接続される。また、出力部１５０は、蓄電池１２０の電力を外部機器２００に出力するだけでなく、信号を外部機器２００に出力してもよい。つまり、出力部１５０の出力端子１５２は、信号を出力するための端子を含んでいてもよい。出力端子１５２から出力される信号は、例えば、外部機器２００を制御するための制御信号である。
【００７４】
次に、電源システム１００および外部機器２００の回路構成の概略について図５を用いて説明する。
【００７５】
図５は、実施の形態に係る電源システムに含まれる電気回路の一例を示すブロック図である。
【００７６】
図５に示すように、電源システム１００は、電気回路１０１を有する。
【００７７】
電気回路１０１は、太陽電池１１０、蓄電池１２０、充放電部１３０、及び出力部１５０を備える。電気回路１０１は、さらに、通信部１３２、検知部１３３、及びＵＳＢ接続端子１３４を備えていてもよい。
【００７８】
太陽電池１１０は、光起電力効果を利用し、太陽光などの光エネルギーを電力に変換する電力機器である。
【００７９】
蓄電池１２０は、電気を充電したり、電気を放電したりすることのできる二次電池であり、より具体的には、リチウムイオン二次電池などの非水電解質二次電池である。
【００８０】
充放電部１３０は、太陽電池１１０により供給された直流電力を、蓄電池１２０に供給することで、蓄電池１２０を充電する。また、充放電部１３０は、蓄電池１２０に充電された電力を出力部１５０から外部機器２００へ出力する。ここで、上述したように、蓄電池１２０および充放電部１３０は、電気的に着脱可能に構成されている。充放電部１３０は、充電および放電を制御する制御部１３１を備える。
【００８１】
制御部１３１は、蓄電池１２０への充電を制御し、例えば、蓄電池１２０が満充電状態になれば、蓄電池１２０への充電を終了する。また、制御部１３１は、蓄電池１２０に充電された電力の出力部１５０への放電を制御し、例えば、蓄電池１２０の充電残量が残り少なくなれば、出力部１５０への放電を終了する。また、充放電部１３０は、後述する通信部１３２または検知部１３３が動作するための電力を、蓄電池１２０から供給してもよい。制御部１３１は、後述する検知部１３３が所定の範囲内への人の接近を検知したときに、外部機器２００へ電力を供給し、かつ、検知部１３３が所定の範囲内への人の接近を検知しなかったときに、外部機器２００への電力を供給しない制御を行ってもよい。また、制御部１３１は、検知部１３３により検知された結果を示す検知結果を外部機器２００に送信してもよい。
【００８２】
なお、制御部１３１は、制御機能を備えるものであればよく、演算処理部（図示せず）と、制御プログラムを記憶する記憶部（図示せず）とを備える。演算処理部としては、ＭＰＵ、ＣＰＵが例示される。記憶部としては、メモリが例示される。制御部１３１は、集中制御を行う単独の制御部で構成されていてもよく、互いに協働して分散制御を行う複数の制御部で構成されていてもよい。
【００８３】
通信部１３２は、外部の通信端末と通信する。具体的には、通信部１３２は、Ｗｉ−Ｆｉ（登録商標）、Ｂｌｕｅｔｏｏｔｈ（登録商標）、Ｚｉｇｂｅｅ（登録商標）などの近距離無線通信により、スマートフォン、タブレット端末、ラップトップパソコンなどの通信端末と通信可能な通信モジュールである。通信部１３２は、筐体１４０の内部に設けられる。
【００８４】
検知部１３３は、外部情報を検知する。具体的には、検知部１３３は、外部情報として、所定の範囲内への人の接近を検知する人感センサーである。検知部１３３は、筐体１４
０の内部に設けられる。
【００８５】
ＵＳＢ接続端子１３４は、蓄電池１２０から、電源システム１００の外部の端末に電力を供給する端子である。ＵＳＢ接続端子１３４は、筐体１４０に設けられ、例えば、スマートフォン、タブレット端末、ヘッドセットなどの外部の端末に電力を供給する。
【００８６】
また、外部機器２００の電気回路２０１は、図５に示すように、制御部２１１と、ＬＥＤ（Ｌｉｇｈｔ  Ｅｍｉｔｔｉｎｇ  Ｄｉｏｄｅ）２１２と、受電部２１３とを備える。外部機器２００は、ＬＥＤ２１２を点灯させることで、周囲を照明する照明装置である。なお、外部機器２００は、機能的にも、制御部２１１と、ＬＥＤ２１２と、受電部２１３とを備える。
【００８７】
制御部２１１は、電源システム１００から受電した電力のＬＥＤ２１２への供給を制御することで、ＬＥＤ２１２の照明を制御する。つまり、制御部２１１は、受電した電力を供給したり、供給しなかったりを制御することにより、ＬＥＤ２１２のオンオフを制御する。また、制御部２１１は、ＬＥＤ２１２のオンオフのタイミングを周期的に制御することにより、ＬＥＤ２１２の明るさを制御してもよい。また、ＬＥＤ２１２が複数のＬＥＤにより構成される場合には、複数のＬＥＤのうちで点灯させるＬＥＤの数を制御することにより、明るさを制御してもよい。また、ＬＥＤ２１２が、例えば、赤色ＬＥＤ、青色ＬＥＤ、および緑色ＬＥＤの３色のＬＥＤにより構成される場合には、各色のＬＥＤの点灯を制御することにより、ＬＥＤ２１２で照明される光の色を制御してもよい。
【００８８】
また、制御部２１１は、電源システム１００の制御部１３１から検知部１３３の検知結果を受信するときには、検知結果に応じてＬＥＤ２１２の照明を上記のように制御してもよい。例えば、制御部２１１は、所定の範囲に人が接近したことを検知した結果を受信したときには、ＬＥＤ２１２を点灯させて、所定の範囲に人が接近していないことを検知した結果を受信したときには、ＬＥＤ２１２を消灯させる制御を行ってもよい。また、例えば、制御部２１１は、受信した検知結果に応じて、ＬＥＤ２１２により照明される光の色を変更する制御を行ってもよい。
【００８９】
なお、制御部２１１は、制御機能を備えるものであればよく、演算処理部（図示せず）と、制御プログラムを記憶する記憶部（図示せず）とを備える。演算処理部としては、ＭＰＵ、ＣＰＵが例示される。記憶部としては、メモリが例示される。制御部２１１は、集中制御を行う単独の制御部で構成されていてもよく、互いに協働して分散制御を行う複数の制御部で構成されていてもよい。
【００９０】
ＬＥＤ２１２は、上述したように、１つのＬＥＤから構成されてもよいし、複数のＬＥＤで構成されてもよいし、赤色ＬＥＤ、青色ＬＥＤ、および緑色ＬＥＤの３色のＬＥＤにより構成されてもよい。また、ＬＥＤ２１２を構成するＬＥＤは、砲弾型ＬＥＤであってもよいし、表面実装（ＳＭＤ：ｓｕｒｆａｃｅ  ｍｏｕｎｔ  ｄｅｖｉｃｅ）型ＬＥＤであってもよい。なお、外部機器２００では、ＬＥＤ２１２に限らずに、電球、蛍光灯、電球形蛍光ランプ、有機ＥＬ（Ｅｌｅｃｔｒｏ  Ｌｕｍｉｎｅｓｃｅｎｃｅ）照明などのＬＥＤ以外の光源を用いてもよい。
【００９１】
受電部２１３は、電源システム１００の出力部１５０から蓄電池１２０の電力を受電するための受電端子である。受電部２１３は、図示しないが、図３で示す出力部１５０に対応した形状の凹部を有しており、当該凹部に出力部１５０の出力端子１５２と接触する受電端子を備える。
【００９２】
［１−２．効果等］
以上のように、本実施の形態に係る電源システム１００は、筐体１４０に外部機器２００を固定する第１固定部１４２が、筐体１４０に固定され、かつ、筐体１４０の側面の少なくとも一部を構成する開閉自在な蓋部１４３により、筐体１４０に内封される。つまり、外部機器２００が固定される第１固定部１４２が、開閉自在な蓋部１４３により筐体１４０に内封されるため、蓋部１４３が閉じている状態では第１固定部１４２が筐体１４０の外側から視認されることを抑制できる。このため、外部機器２００の固定が解除されることを抑制することができ、外部機器２００が盗難されることを抑制できる。
【００９３】
また、第１固定部１４２の鉛直方向において存在する領域は、蓋部１４３が鉛直方向に占める範囲内にある。つまり、蓋部１４３を開けた状態で第１固定部１４２に外部機器２００を固定したり、第１固定部１４２から外部機器２００を取り外したりする作業の時に、第１固定部１４２を鉛直方向に占める範囲に亘って露出させることができるため、作業性を向上させることができる。
【００９４】
また、蓋部１４３は、蓋部１４３を施解錠する鍵部１４４が施錠されることで筐体１４０に固定される。このため、鍵部１４４が開錠されることなく、外部機器２００の固定が解除されることを抑制することができる。
【００９５】
また、接続部１４１には、さらに、本体部１４６が接続される第２固定部１４５が設けられる。このため、接続部１４１と本体部１４６とは、第２固定部１４５において接続することができる。
【００９６】
また、第２固定部１４５の鉛直方向において存在する領域は、蓋部１４３の鉛直方向に占める範囲内にある。つまり、蓋部１４３を開けて第２固定部１４５に本体部１４６を固定したり、第２固定部１４５から本体部１４６を取り外したりする作業のときに、第２固定部１４５を鉛直方向に占める範囲に亘って露出させることができるため、作業性を向上させることができる。
【００９７】
また、鍵部１４４は、鍵が差し込まれて回転されることにより施解錠されるシリンダー錠である。このため、ユーザは、鍵を用いて鍵部１４４を施解錠できる。
【００９８】
また、鍵部は、近距離無線通信部が受信した信号に応じて施解錠する電子錠であってもよい。このため、ユーザは、例えば、スマートフォンなどの近距離無線通信部と通信可能な情報端末を用いて鍵部を施解錠できる。
【００９９】
また、出力部１５０は、外部機器２００と接する出力接点部１５１を介して、蓄電池１２０から外部機器２００に電力を供給する。このため、電源システム１００は、出力接点部１５１から蓄電池１２０の電力を外部機器２００に供給できる。
【０１００】
また、出力接点部１５１の側面に出力端子１５２を備える。
【０１０１】
例えば、外部機器２００が筐体１４０の上方から下方に向けて移動されることで、出力接点部１５１に電気的に接続される構成であるときは、出力端子１５２を鉛直方向に沿って配置することができるため、外部機器２００の移動方向に沿ってずれたとしても出力端子１５２と外部機器２００の端子とが接触したままとすることができる。これにより、外部機器２００と出力端子１５２の電気的な接続をより確実にすることができる。
【０１０２】
また、蓄電池１２０は、筐体１４０の開口部１４６ａを介して筐体１４０と着脱可能である。このため蓄電池１２０を、例えば非常用の外部電源として使用することができる。
【０１０３】
また、電源システム１００は、筐体１４０内に設けられ、外部と通信する通信部１３２を備える。このため、電源システム１００は、通信部１３２を用いて、外部と通信できる。
【０１０４】
また、通信部１３２は、外部の通信端末と近距離無線通信により通信する。このため、電源システム１００は、外部の通信端末と近距離無線通信により通信できる。
【０１０５】
また、電源システム１００は、筐体１４０内に設けられ、外部情報を検知する検知部１３３を備える。このため、電源システム１００は、外部情報を検知できる。
【０１０６】
また、検知部１３３は、人感センサーを備え、所定の範囲内への人の接近を検知する。このため、電源システム１００は、所定の範囲内への人の接近を検知できる。
【０１０７】
また、電源システム１００は、筐体１４０に設けられ、蓄電池１２０から外部の端末に電力を供給するＵＳＢ接続端子１３４を備える。このため、電源システム１００は、外部の端末にＵＳＢ接続端子１３４から蓄電池１２０の電力を供給できる。
【０１０８】
（他の実施の形態）
以上のように、本出願において開示する技術の例示として、実施の形態を説明した。しかしながら、本開示における技術は、これに限定されず、適宜、変更、置き換え、付加、省略などを行った実施の形態にも適用可能である。また、上記実施の形態で説明した各構成要素を組み合わせて、新たな実施の形態とすることも可能である。
【０１０９】
そこで、以下では、他の実施の形態を例示する。
【０１１０】
例えば、上記実施の形態では、外部機器２００は、照明装置であったが、これに限らない。以下、外部機器の照明装置以外の例について、図６Ａ〜図９を用いて説明する。
【０１１１】
図６Ａは、他の実施の形態に係る正面側から見たときの電源システムおよび外部機器の外観の一例を示す図である。図６Ｂは、他の実施の形態に係る後面側から見たときの電源システムおよび外部機器の外観の一例を示す図である。図７は、他の実施の形態に係る外部機器の概略構成の一例を示すブロック図である。
【０１１２】
図６Ａ、図６Ｂ、および図７に示すように、外部機器２００Ａは、制御部２１１Ａと、ＬＥＤ２１２と、受電部２１３と、表示部２１４Ａとを備える。また、外部機器２００Ａは、さらに、外部と通信する通信部２１５Ａを備えてもよい。
【０１１３】
制御部２１１Ａは、電源システム１００から受電した電力を表示部２１４Ａへ放電する制御を行う。また、制御部２１１Ａは、予め記憶されている情報を表示部２１４Ａに表示させる制御を行ってもよい。予め記憶されている情報は、画像、文字などを含み、例えば、電源システム１００が設置されている周辺の地図を案内するための映像情報である。また、制御部２１１Ａは、通信部２１５Ａから取得した情報を、表示部２１４Ａに表示させる制御を行ってもよい。例えば、制御部２１１Ａは、通信部２１５Ａから、電源システム１００が設置されている周辺の建物で行われるイベントを案内するための情報、天気予報を示す情報などを取得して、取得した情報を表示部２１４Ａに表示させる制御を行ってもよい。
【０１１４】
また、制御部２１１Ａは、検知部１３３による検知結果を受信するときには、検知結果に応じて、表示部２１４Ａでの表示のオンオフを制御してもよい。例えば、制御部２１１Ａは、所定の範囲に人が接近したことを検知した結果を受信したときには、表示部２１４Ａに情報を表示させて、所定の範囲に人が接近していないことを検知した結果を受信したときには、表示部２１４Ａに情報を表示させない制御を行ってもよい。
【０１１５】
また、制御部２１１Ａは、ＬＥＤ２１２の照明を上記の実施の形態で説明したように制御してもよい。
【０１１６】
なお、制御部２１１Ａは、制御部２１１と同様の構成で実現されることが考えられる。また、受電部２１３の構成は、上記実施の形態と同様であるので説明を省略する。
【０１１７】
ＬＥＤ２１２は、実施の形態と同様であるので説明を省略する。また、ＬＥＤ２１２は、なくてもよい。
【０１１８】
表示部２１４Ａは、制御部２１１Ａにより出力された情報を表示する。表示部２１４Ａは、例えば、液晶ディスプレイ、有機ＥＬ（Ｅｌｅｃｔｒｏ  Ｌｕｍｉｎｅｓｃｅｎｃｅ）ディスプレイなどにより実現される。
【０１１９】
通信部２１５Ａは、インターネットを介してサーバと通信することにより、当該サーバから例えば上記で説明した情報を取得する。通信部２１５Ａは、例えば、携帯電話通信網、Ｗｉ−Ｆｉ（登録商標）などを介してインターネットに通信接続できる通信モジュールなどにより実現される。
【０１２０】
また、図８は、他の実施の形態に係る電源システムおよび外部機器の外観の他の一例を示す図である。図９は、他の実施の形態に係る外部機器の概略構成の他の一例を示すブロック図である。
【０１２１】
図８および図９に示すように、外部機器２００Ｂは、制御部２１１Ｂと、スピーカ２１２Ｂと、受電部２１３とを備える。また、外部機器２００Ｂは、さらに、外部と通信する通信部２１５Ａを備えてもよい。
【０１２２】
制御部２１１Ｂは、電源システム１００から受電した電力をスピーカ２１２Ｂへ放電する制御を行う。制御部２１１Ｂは、予め記憶されている情報をスピーカ２１２Ｂに出力させる制御を行ってもよい。予め記憶されている情報は、音声、音楽などを含み、例えば、電源システム１００が設置されている周辺を案内するための音声情報、所定の音楽を示す音楽情報である。また、制御部２１１Ｂは、通信部２１５Ａから取得した情報を、スピーカ２１２Ｂに出力させる制御を行ってもよい。例えば、制御部２１１Ｂは、通信部２１５Ａから、電源システム１００が設置されている周辺の建物で行われるイベントを案内するための情報、電源システム１００が設置されている周辺にアナウンスするための情報、音楽を示す情報などを取得して、取得した情報をスピーカ２１２Ｂに出力させる制御を行ってもよい。
【０１２３】
また、制御部２１１Ｂは、検知部１３３による検知結果を受信するときには、検知結果に応じて、スピーカ２１２Ｂでの音声の出力を制御してもよい。例えば、制御部２１１Ｂは、所定の範囲に人が接近したことを検知した結果を受信したときには、スピーカ２１２Ｂに情報を出力させて、所定の範囲に人が接近していないことを検知した結果を受信したときには、スピーカ２１２Ｂに情報を出力させない制御を行ってもよい。
【０１２４】
なお、制御部２１１Ｂは、制御部２１１と同様の構成で実現されることが考えられる。
【０１２５】
また、上記の各実施の形態では、第１固定部１４２は、接続部１４１の前面、つまり筐体１４０の１面のみに設けられているが、これに限らずに、さらに、接続部１４１の後面、つまり筐体１４０の後面に設けられてもよいし、さらに、接続部１４１の側面、つまり筐体の側面に設けられてもよい。このとき、外部機器も同様に、前面だけでなく後面側にも、または側面側にも固定板が設けられることになる。
【０１２６】
また、上記の各実施の形態では、出力部１５０は、外部機器２００、２００Ａ、２００Ｂと接する出力接点部１５１を介して蓄電池１２０から外部機器２００、２００Ａ、２００Ｂに電力を供給する構成であるが、出力接点部１５１から電力を供給する構成に限らない。例えば、給電コイルを備え、給電コイルを介して非接触で蓄電池から外部機器に電力を供給する構成の出力部が採用されてもよい。このため、外部機器を筐体から取り外したとしても、電力が出力される出力部の端子部分が露出されない構成とすることができる。このため、出力部が腐食することを抑制することができる。
【０１２７】
また、上記の各実施の形態では、電源システム１００は、ＵＳＢ接続端子１３４から蓄電池１２０からの電力を外部の端末に供給しているが、これに限らない。例えば、筐体に、非接触で蓄電池から外部の端末に電力を供給する給電コイルを備える電源システムであってもよい。このため、電源システムは、外部の端末に非接触給電コイルから蓄電池の電力を供給できる。
【０１２８】
また、上記の各実施の形態では、第１固定部１４２は、ボルト１４２ａおよびナット１４２ｂの組み合わせで構成されるが、これに限らずに、単なる貫通孔と当該貫通孔に係合するピンであってもよい。この場合であっても、ピンが貫通孔に係合しているときは、外部機器２００の固定板２０２を接続部１４１に固定しておくことができる。
【０１２９】
また、上記の各実施の形態では、電源システム１００は、接続部１４１を備えており、外部機器２００は接続部を介して接続されているが、接続部１４１が無い構成の電源システムが採用されてもよい。例えば、接続部の代わりに筐体の本体部の開口部を塞ぐ蓋であってもよい。このとき、筐体の本体部に第１固定部および蓋部に相当する構成があれば、接続部はなくても実現できる。
【０１３０】
また、上記の各実施の形態では、太陽電池１１０は、本体部１４６の外面に設けられているが、接続部１４１の外面に設けられていてもよいし、蓋部１４３の外面に設けられていてもよい。つまり、太陽電池は、少なくとも筐体の外面に設けられていればよい。
【０１３１】
また、上記の各実施の形態では、筐体１４０は、外形が直方体形状であるが、直方体形状に限らずに、他の形状の箱状部材であってもよい。例えば、筐体の外形は、円柱形状であってもよいし、球体形状であってもよいし、三角柱、五角柱などの他の角柱形状であってもよい。
【０１３２】
以上、本発明の一つまたは複数の態様に係る電源システムについて、実施の形態に基づいて説明したが、本発明は、この実施の形態に限定されるものではない。本発明の趣旨を逸脱しない限り、当業者が思いつく各種変形を本実施の形態に施したもの、異なる実施の形態における構成要素を組み合わせて構築される形態なども、本発明の一つまたは複数の態様の範囲内に含まれてもよい。
【産業上の利用可能性】
【０１３３】
本開示は、複数種類の外部機器に電力を供給することが可能な電源システムであって、当該複数種類の外部機器が盗難されることを抑制できる電源システムなどとして有用である。
【符号の説明】
【０１３４】
１００    電源システム
１０１    電気回路
１１０    太陽電池
１２０    蓄電池
１３０    充放電部
１３１    制御部
１３２    通信部
１３３    検知部
１３４    ＵＳＢ接続端子
１４０    筐体
１４１    接続部
１４２    第１固定部
１４２ａ    ボルト
１４２ｂ    ナット
１４３    蓋部
１４４    鍵部
１４５    第２固定部
１４５ａ    ボルト
１４５ｂ    ナット
１４６    本体部
１４６ａ    開口部
１４７    固定板
１４８    貫通孔
１４９    台座
１５０    出力部
１５１    出力接点部
１５２    出力端子
２００、２００Ａ、２００Ｂ    外部機器
２０１    電気回路
２０２    固定板
２０３    貫通孔
２１１、２１１Ａ    制御部
２１２    ＬＥＤ
２１２Ｂ    スピーカ
２１３    受電部
２１４Ａ    表示部
２１５Ａ    通信部
【図１】
2018174706.tif 000003
【図２】
2018174706.tif 000004
【図３】
2018174706.tif 000005
【図４】
2018174706.tif 000006
【図５】
2018174706.tif 000007
【図６Ａ】
2018174706.tif 000008
【図６Ｂ】
2018174706.tif 000009
【図７】
2018174706.tif 000010
【図８】
2018174706.tif 000011
【図９】
2018174706.tif 000012
【手続補正書】
【提出日】平成30年8月6日(2018.8.6)
【手続補正１】
【補正対象書類名】特許請求の範囲
【補正対象項目名】全文
【補正方法】変更
【補正の内容】
【特許請求の範囲】
【請求項１】
太陽光発電を行う太陽電池と、
前記太陽電池で発生した電力を蓄電する蓄電池と、
前記蓄電池を内包し、外面に前記太陽電池が設けられた筐体と、
前記筐体に、前記蓄電池から供給された電力で動作する外部機器を固定する第１固定部と、
前記筐体の側面の少なくとも一部を構成する開閉自在な蓋部と、を備え、
前記蓋部により前記第１固定部が前記筐体に内封される、
電源システム。
【請求項２】
前記第１固定部の鉛直方向において存在する領域は、前記蓋部が鉛直方向に占める範囲内にある、
請求項１に記載の電源システム。
【請求項３】
前記筐体は、
前記蓄電池を内包し、外面に前記太陽電池が設けられた本体部と、
前記蓄電池から前記外部機器に電力を供給する出力部と、
前記本体部の上部の開口部を覆い、かつ、前記本体部から着脱可能であり、かつ、前記
第１固定部と前記出力部と前記蓋部とが設けられた接続部と、
前記蓋部を施解錠する鍵部と、を備え、
前記蓋部は、前記鍵部が施錠されることで前記筐体に固定される、
請求項１または請求項２に記載の電源システム。
【請求項４】
前記接続部には、さらに、前記本体部が接続される第２固定部が設けられる、
請求項３に記載の電源システム。
【請求項５】
前記第２固定部の鉛直方向において存在する領域は、前記蓋部の鉛直方向に占める範囲内にある、
請求項４に記載の電源システム。
【請求項６】
前記鍵部は、鍵が差し込まれて回転されることにより施解錠されるシリンダー錠である、
請求項３〜５のいずれか１項に記載の電源システム。
【請求項７】
前記鍵部は、近距離無線通信部が受信した信号に応じて施解錠する電子錠である、
請求項３〜５のいずれか１項に記載の電源システム。
【請求項８】
前記出力部は、
前記外部機器と接する出力接点部を備え、
前記出力接点部を介して前記蓄電池から前記外部機器に電力を供給する、
請求項３〜７のいずれか１項に記載の電源システム。
【請求項９】
前記出力部は、前記出力接点部の側面に出力端子を備える、
請求項８に記載の電源システム。
【請求項１０】
前記出力部は給電コイルを備え、
前記給電コイルを介して非接触で前記蓄電池から前記外部機器に電力を供給する、
請求項１〜７のいずれか１項に記載の電源システム。
【請求項１１】
前記蓄電池は、前記筐体の開口部を介して前記筐体と着脱可能である、
請求項１〜１０のいずれか１項に記載の電源システム。
【請求項１２】
前記筐体内に設けられ、外部と通信する通信部を備える、
請求項１〜１１のいずれか１項に記載の電源システム。
【請求項１３】
前記通信部は、外部の通信端末と近距離無線通信により通信する、
請求項１２に記載の電源システム。
【請求項１４】
前記筐体内に設けられ、外部情報を検知する検知部を備える、
請求項１〜１３のいずれか１項に記載の電源システム。
【請求項１５】
前記検知部は人感センサーを備え、所定の範囲内への人の接近を検知する、
請求項１４に記載の電源システム。
【請求項１６】
前記筐体に設けられ、前記蓄電池から外部の端末に電力を供給するＵＳＢ接続端子を備える、
請求項１〜１５のいずれか１項に記載の電源システム。
【請求項１７】
前記筐体に、非接触で前記蓄電池から外部の端末に電力を供給する給電コイルを備える、
請求項１〜１６のいずれか１項に記載の電源システム。 
【手続補正２】
【補正対象書類名】明細書
【補正対象項目名】０００５
【補正方法】変更
【補正の内容】
【０００５】
本開示の一態様に係る電源装置は、太陽光発電を行う太陽電池と、前記太陽電池で発生した電力を蓄電する蓄電池と、前記蓄電池を内包し、外面に前記太陽電池が設けられた筐体と、前記筐体に、前記蓄電池から供給された電力で動作する外部機器を固定する第１固定部と、前記筐体の側面の少なくとも一部を構成する開閉自在な蓋部と、を備え、前記蓋部により前記第１固定部が前記筐体に内封される。